【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
前領域及び背領域を含み、ウエスト開口部並びに第１及び第２脚開口部を定めるシャーシと、
前記ウエスト開口部から前記前領域と前記背領域との間の第１脚開口部まで延びる第１の再締結可能なシームと、
前記ウエスト開口部から前記前領域と前記背領域との間の第２脚開口部まで延びる第２の再締結可能なシームと、
を備え、前記第１及び第２の再締結可能なシームの各々が、前記前及び背領域の引張強度より小さい剪断分離強度を有することを特徴とする使い捨て吸収性パンツ。
【請求項２】
前記第１及び第２の再締結可能なシームの一方の剪断分離強度と前記前及び背領域の引張強度との比が、単位シーム長さ当り約０．０１から約０．９９までの間であることを特徴とする請求項１に記載の使い捨て吸収性パンツ。
【請求項３】
前記第１の再締結可能なシームが前記シャーシに結合された第１締結部材を備え、前記第１締結部材と前記シャーシとの間の結合強度が前記第１の再締結可能なシームの前記剪断分離強度より大きく、前記第２の再締結可能なシームが前記シャーシに結合された第２締結部材を備え、前記第２締結部材と前記シャーシとの間の結合強度が前記第２の再締結可能なシームの前記剪断分離強度より大きいことを特徴とする請求項１または２に記載の使い捨て吸収性パンツ。
【請求項４】
前記第１及び第２の再締結可能なシームの各々が、前記前及び背領域を含む外側カバーの引張強度より小さい剪断分離強度及び/または前記前及び背領域を含む身体側ライナの引張強度より小さい剪断分離強度を有することを特徴とする請求項１から３のいずれかに記載の使い捨て吸収性パンツ。
【請求項５】
前記外側カバーまたは前記身体側ライナが、前記第１の再締結可能なシームの剪断分離強度より大きい層分離強度を有することを特徴とする請求項４に記載の使い捨て吸収性パンツ。
【請求項６】
前記外側カバーが、伸長可能な材料からなることを特徴とする請求項４または５に記載の使い捨て吸収性パンツ。
【請求項７】
前記前領域が、第１及び第２前シャーシ・シームに沿って前中央パネルに結合された２つの前側部パネルを含み、前記背領域が、第１及び第２背シャーシ・シームに沿って背中央パネルに結合された２つの背側部パネルを含み、前記第１及び第２の再締結可能なシームの各々が、前記前及び背側部パネルのいずれかの引張強度より小さい剪断分離強度を有することを特徴とする請求項１から６のいずれかに記載の使い捨て吸収性パンツ。
【請求項８】
前記前シャーシ・シーム及び前記背シャーシ・シームの各々が、前記再締結可能なシームの各々の前記剪断分離強度より大きい結合強度を有することを特徴とする請求項７に記載の使い捨て吸収性パンツ。
【請求項９】
前中央パネル、背中央パネル、第１及び第２前シャーシ・シームに沿って前記前中央パネルに取り付けられた第１及び第２前側部パネルと、第１及び第２背シャーシ・シームに沿って前記背中央パネルに取り付けられた第１及び第２背側部パネルとを含み、ウエスト開口部と第１及び第２脚開口部とを定めるシャーシと、
前記ウエスト開口部から前記第１前側部パネルと前記第２背側部パネルとの間の第１脚開口部まで延びる第１の再締結可能なシームと、
前記ウエスト開口部から前記第２前側部パネルと前記第２背側部パネルとの間の第２脚開口部まで延びる第２の再締結可能なシームと、
を備え、前記第１の再締結可能なシームが、前記第１前及び背シャーシ・シームの各々の結合強度より小さい剪断分離強度を有し、前記第２の再締結可能なシームが、前記第２前及び背シャーシ・シームの各々の結合強度より小さい剪断分離強度を有することを特徴とする使い捨て吸収性パンツ。
【請求項１０】
前記前及び背側部パネルの各々が、前記第１の再締結可能なシームの前記剪断分離強度より大きい層分離強度を有することを特徴とする請求項７から９のいずれかに記載の使い捨て吸収性パンツ。
【請求項１１】
前記第１の再締結可能なシームの剪断分離強度と前記第１の前及び背シャーシ・シームの一方の結合強度との比が、単位シーム長さ当り約０．０１から約０．９９までの間であることを特徴とする請求項９または１０のいずれかに記載の使い捨て吸収性パンツ。
【請求項１２】
前記第１の再締結可能なシームが、前記第１の前及び背側部パネルの一方に結合された第１締結部材を備え、前記第１締結部材と前記第１前及び背側部パネルの一方との間の結合強度が前記第１の再締結可能なシームの前記剪断分離強度より大きく、前記第２の再締結可能なシームが、前記第２の前及び背側部パネルの一方に結合された第２締結部材を備え、前記第２締結部材と前記第２の前及び背側部パネルの一方との間の結合強度が前記第２の再締結可能なシームの前記剪断分離強度より大きいことを特徴とする請求項９から１１のいずれかに記載の使い捨て吸収性パンツ。
【請求項１３】
前領域及び背領域を含み、ウエスト開口部並びに第１及び第２脚開口部を定めるシャーシと、
前記ウエスト開口部から前記前領域と前記背領域との間の第１脚開口部まで延び、前記前領域及び前記背領域の一方に結合された第１締結部材を含む第１の再締結可能なシームと、
前記ウエスト開口部から前記前領域と前記背領域との間の第２脚開口部まで延び、前記前領域及び前記背領域の一方に結合された第２締結部材を含む第２の再締結可能なシームと、
を備え、前記第１締結部材と前記第１締結部材が結合される領域との間の結合強度が、前記第１の再締結可能なシームの剪断分離強度より大きく、前記第２締結部材と前記第２締結部材が結合される領域との間の結合強度が、前記第２の再締結可能なシームの剪断分離強度より大きいことを特徴とする使い捨て吸収性パンツ。
【請求項１４】
前記第１の再締結可能なシームの剪断分離強度と、前記第１締結部材と前記第１締結部材が結合されるパネルとの間の結合強度との比が、単位シーム長さ当り約０．０１から約０．９９までの間であることを特徴とする請求項１３に記載の使い捨て吸収性パンツ。
【請求項１５】
前記前領域が、第１前側部パネルと、前中央パネルの反対側の縁部に取り付けられた第２前側部パネルとを備えることを特徴とする請求項１３または１４に記載の使い捨て吸収性パンツ。
【請求項１６】
前記背領域が、第１背側部パネルと、背中央パネルの反対側の縁部に取り付けられた第２背側部パネルとを備えることを特徴とする請求項１３から１５のいずれかに記載の使い捨て吸収性パンツ。
【請求項１７】
前記前側部パネル及び/または前記前部領域のそれぞれが、伸長可能な材料からなることを特徴とする請求項１から１６のいずれかに記載の使い捨て吸収性パンツ。
【請求項１８】
前記背側部パネル及び/または前記後部領域のそれぞれが、伸長可能な材料からなることを特徴とする請求項１から１７のいずれかに記載の使い捨て吸収性パンツ。
【請求項１９】
前記第１及び第２の再締結可能なシームの各々が、各シームのウエスト端部に沿って及び脚端部に沿って、各シームの中間部に比べて大きい剪断分離強度を有することを特徴とする請求項１から１８のいずれかに記載の使い捨て吸収性パンツ。
【請求項２０】
前記第１及び第２の再締結可能なシームの各々の剪断分離強度が、幅２．５４センチメートル（１インチ）のサンプルにおいて約０．３から約２．７キログラムまでの間であることを特徴とする請求項１から１９のいずれかに記載の使い捨て吸収性パンツ。